(57)【特許請求の範囲】
【請求項１】
光伝送路を介して送信された光信号をＲＦ信号に変換する光電変換部と、前記光電変換部によって変換されたＲＦ信号を有線で出力するＲＦ出力端子と、前記ＲＦ信号から取得したＦＭ信号を有線で出力するＦＭ出力端子と、を有する光受信機と、
前記光電変換部によって変換されたＲＦ信号及び当該ＲＦ信号から取得されたＦＭ信号の一方又は両方を無線送信するアンテナと、を備え、
前記アンテナは、停電時においても信号を無線送信するためのバックアップ電源、を備える、
光受信システム。
【請求項２】
前記ＲＦ出力端子から有線で出力されたＲＦ信号の入力を受けるＲＦ入力端子と、前記ＦＭ出力端子から有線で出力されたＦＭ信号の入力を受けるＦＭ入力端子と、前記ＲＦ入力端子に入力されたＲＦ信号又は前記ＦＭ入力端子に入力されたＦＭ信号を有線で出力する出力端子と、前記ＲＦ入力端子又は前記ＦＭ入力端子のいずれか一方を、選択的に切り替えて、前記出力端子に接続する切り替え手段と、を有する切り替え器を備え、
前記アンテナは、前記出力端子から出力されたＲＦ信号又はＦＭ信号を無線送信する、
請求項１に記載の光受信システム。
【請求項３】
前記アンテナは、前記光電変換部と前記ＲＦ出力端子との間から分岐されたＲＦ信号及び前記光電変換部と前記ＦＭ出力端子との間から分岐されたＦＭ信号の一方又は両方を無線送信する、
請求項１に記載の光受信システム。
【請求項４】
前記光受信機に電力を供給する電力供給手段を備え、
前記光電変換部は、前記光受信機に前記電力供給手段から電力が供給されている場合には当該電力を用いて逆バイアスモードで使用され、前記光受信機に前記電力供給手段から電力が供給されていない場合には無バイアスモードで使用される、フォトダイオードを用いて構成され、
前記光受信機は、
前記光電変換部によって変換されたＲＦ信号を、当該光受信機に前記電力供給手段から供給された電力を用いて増幅し、前記ＲＦ出力端子に出力する増幅手段を備え、
当該光受信機に前記電力供給手段から電力が供給されている場合には、前記増幅手段によって増幅されたＲＦ信号を前記ＲＦ出力端子から有線で出力すると共に、前記光電変換部によって変換されたＲＦ信号から取得したＦＭ信号を前記ＦＭ出力端子から有線で出力し、
当該光受信機に前記電力供給手段から電力が供給されていない場合には、前記光電変換部によって変換されたＲＦ信号から取得したＦＭ信号のみを前記ＦＭ出力端子から有線で出力する、
請求項１から３のいずれか一項に記載の光受信システム。
【請求項５】
前記光受信機に電力を供給する電力供給手段を備え、
前記光電変換部は、前記光受信機に前記電力供給手段から電力が供給されている場合には当該電力を用いて逆バイアスモードで使用され、前記光受信機に前記電力供給手段から電力が供給されていない場合には無バイアスモードで使用される、フォトダイオードを用いて構成され、
前記光受信機は、
前記光電変換部によって変換されたＲＦ信号を、当該光受信機に前記電力供給手段から供給された電力を用いて増幅し、前記ＲＦ出力端子に出力する増幅手段を備え、
当該光受信機に前記電力供給手段から電力が供給されている場合には、前記増幅手段によって増幅されたＲＦ信号を前記ＲＦ出力端子から有線で出力すると共に、前記光電変換部によって変換されたＲＦ信号から取得したＦＭ信号を前記ＦＭ出力端子から有線で出力し、
当該光受信機に前記電力供給手段から電力が供給されていない場合には、前記光電変換部によって変換されたＲＦ信号から取得したＦＭ信号のみを前記ＦＭ出力端子から有線で出力し、
前記電力供給手段は、前記切り替え器に電力を供給し、
前記切り替え手段は、前記電力供給手段から前記切り替え器に電力が供給されている場合には、前記ＲＦ入力端子を前記出力端子に接続し、前記電力供給手段から前記切り替え器に電力が供給されていない場合には、前記ＦＭ入力端子を前記出力端子に接続する、
請求項２に記載の光受信システム。
【発明の詳細な説明】
【技術分野】
【０００１】
本発明は、光伝送システムにおいて光信号を受信するための光受信システムに関する。
【背景技術】
【０００２】
近年では、光通信技術の進展に伴い、光ケーブルを用いた光伝送システムが普及している。この光伝送システムによれば、数１０ｋｍ程度の無中継伝送が可能となるため、伝送システムを容易に広域化できる。この光伝送システムは、概略的には、送信者側に配置した光送信機と、受信者側に配置した光受信機（光終端端末装置、ＯＮＵ：Ｏｐｔｉｃａｌ  Ｎｅｔｗｏｒｋ  Ｕｎｉｔ）とを、光ケーブルにて構成された長距離伝送路を介して接続して構成されている。このように構成された光伝送システムにおいて、送信側では、テレビ信号や告知放送信号が混合された電気信号を光送信機によって光信号に変換し、この光信号を光ケーブルを介して送信する。一方、受信側では、この光信号を光受信機を介して受信してＲＦ信号やＦＭ信号に変換し、ＲＦ信号をテレビ受像機に出力すると共に、ＲＦ信号やＦＭ信号を告知放送受信機に出力する（例えば、特許文献１参照）。
【先行技術文献】
【特許文献】
【０００３】
【特許文献１】特開２００８−２３６４４２号公報
【発明の概要】
【発明が解決しようとする課題】
【０００４】
ところで、上述の如き従来の光伝送システムにおいて光信号を受信するための光受信システムは、光信号を変換したＲＦ信号やＦＭ信号を有線で出力するものに過ぎなかった。従って、ＲＦ信号やＦＭ信号の入力端子を有するテレビ受像機や告知放送受信機では、従来の光受信システムから有線出力されたＲＦ信号やＦＭ信号を受信できるものの、ＲＦ信号やＦＭ信号の入力端子を有しない携帯電話や移動体端末では、従来の光受信システムから有線出力されたＲＦ信号やＦＭ信号を受信することができなかった。その結果、従来の光受信システムから有線出力されたＲＦ信号に携帯電話・移動体端末向けの１セグメント部分受信サービス（以下、必要に応じて「ワンセグ」）向けの信号が含まれている場合であっても、携帯電話や移動体端末でワンセグを利用することはできなかった。例えば、ワンセグの放送波を受信することが困難な地域や建物内等では、従来の光受信システムが設置されている場合であっても、携帯電話や移動体端末でワンセグを利用することができない可能性があった。
【０００５】
本発明は、ワンセグの放送波を受信することが困難な地域や建物内等であっても、携帯電話や移動体端末でワンセグを利用可能とするための、光受信システムを提供することを目的とする。
【課題を解決するための手段】
【０００６】
上述した課題を解決し、目的を達成するために、請求項１に記載の光受信システムは、光伝送路を介して送信された光信号をＲＦ信号に変換する光電変換部と、前記光電変換部によって変換されたＲＦ信号を有線で出力するＲＦ出力端子と、前記ＲＦ信号から取得したＦＭ信号を有線で出力するＦＭ出力端子と、を有する光受信機と、前記光電変換部によって変換されたＲＦ信号及び当該ＲＦ信号から取得されたＦＭ信号の一方又は両方を無線送信するアンテナと、を備え、前記アンテナは、停電時においても信号を無線送信するためのバックアップ電源を備える。
【０００７】
また、請求項２に記載の光受信システムは、請求項１に記載の光受信システムにおいて、前記ＲＦ出力端子から有線で出力されたＲＦ信号の入力を受けるＲＦ入力端子と、前記ＦＭ出力端子から有線で出力されたＦＭ信号の入力を受けるＦＭ入力端子と、前記ＲＦ入力端子に入力されたＲＦ信号又は前記ＦＭ入力端子に入力されたＦＭ信号を有線で出力する出力端子と、前記ＲＦ入力端子又は前記ＦＭ入力端子のいずれか一方を、選択的に切り替えて、前記出力端子に接続する切り替え手段と、を有する切り替え器を備え、前記アンテナは、前記出力端子から出力されたＲＦ信号又はＦＭ信号を無線送信する。
【０００８】
また、請求項３に記載の光受信システムは、請求項１に記載の光受信システムにおいて、前記アンテナは、前記光電変換部と前記ＲＦ出力端子との間から分岐されたＲＦ信号及び前記光電変換部と前記ＦＭ出力端子との間から分岐されたＦＭ信号の一方又は両方を無線送信する。
【０００９】
また、請求項４に記載の光受信システムは、請求項１から３のいずれか一項に記載の光受信システムにおいて、前記光受信機に電力を供給する電力供給手段を備え、前記光電変換部は、前記光受信機に前記電力供給手段から電力が供給されている場合には当該電力を用いて逆バイアスモードで使用され、前記光受信機に前記電力供給手段から電力が供給されていない場合には無バイアスモードで使用される、フォトダイオードを用いて構成され、前記光受信機は、前記光電変換部によって変換されたＲＦ信号を、当該光受信機に前記電力供給手段から供給された電力を用いて増幅し、前記ＲＦ出力端子に出力する増幅手段を備え、当該光受信機に前記電力供給手段から電力が供給されている場合には、前記増幅手段によって増幅されたＲＦ信号を前記ＲＦ出力端子から有線で出力すると共に、前記光電変換部によって変換されたＲＦ信号から取得したＦＭ信号を前記ＦＭ出力端子から有線で出力し、当該光受信機に前記電力供給手段から電力が供給されていない場合には、前記光電変換部によって変換されたＲＦ信号から取得したＦＭ信号のみを前記ＦＭ出力端子から有線で出力する。
【００１０】
また、請求項５に記載の光受信システムは、請求項２に記載の光受信システムにおいて、前記光受信機に電力を供給する電力供給手段を備え、前記光電変換部は、前記光受信機に前記電力供給手段から電力が供給されている場合には当該電力を用いて逆バイアスモードで使用され、前記光受信機に前記電力供給手段から電力が供給されていない場合には無バイアスモードで使用される、フォトダイオードを用いて構成され、前記光受信機は、前記光電変換部によって変換されたＲＦ信号を、当該光受信機に前記電力供給手段から供給された電力を用いて増幅し、前記ＲＦ出力端子に出力する増幅手段を備え、当該光受信機に前記電力供給手段から電力が供給されている場合には、前記増幅手段によって増幅されたＲＦ信号を前記ＲＦ出力端子から有線で出力すると共に、前記光電変換部によって変換されたＲＦ信号から取得したＦＭ信号を前記ＦＭ出力端子から有線で出力し、当該光受信機に前記電力供給手段から電力が供給されていない場合には、前記光電変換部によって変換されたＲＦ信号から取得したＦＭ信号のみを前記ＦＭ出力端子から有線で出力し、前記電力供給手段は、前記切り替え器に電力を供給し、前記切り替え手段は、前記電力供給手段から前記切り替え器に電力が供給されている場合には、前記ＲＦ入力端子を前記出力端子に接続し、前記電力供給手段から前記切り替え器に電力が供給されていない場合には、前記ＦＭ入力端子を前記出力端子に接続する。
【発明の効果】
【００１１】
このように、請求項１に記載の光受信システムによれば、光受信システムは、光伝送路を介して送信された光信号をＲＦ信号に変換する光電変換部と、光電変換部によって変換されたＲＦ信号を有線で出力するＲＦ出力端子と、ＲＦ信号から取得したＦＭ信号を有線で出力するＦＭ出力端子とを有する光受信機と、光電変換部によって変換されたＲＦ信号及び当該ＲＦ信号から取得されたＦＭ信号の一方又は両方を無線送信するアンテナとを備えるので、ワンセグの放送波を受信することが困難な地域や建物内等であっても、アンテナから無線送信されたＲＦ信号を受信することにより、携帯電話や移動体端末でワンセグを利用可能となる。
【００１２】
また、請求項２に記載の光受信システムによれば、光受信システムは、ＲＦ出力端子から有線で出力されたＲＦ信号の入力を受けるＲＦ入力端子と、ＦＭ出力端子から有線で出力されたＦＭ信号の入力を受けるＦＭ入力端子と、ＲＦ入力端子に入力されたＲＦ信号又はＦＭ入力端子に入力されたＦＭ信号を有線で出力する出力端子と、ＲＦ入力端子又はＦＭ入力端子のいずれか一方を、選択的に切り替えて、出力端子に接続する切り替え手段とを有する切り替え器を備え、アンテナは、出力端子から出力されたＲＦ信号又はＦＭ信号を無線送信するので、光受信機の設置位置に関わらず、アンテナを任意の位置に配置することができる。
【００１３】
また、請求項３に記載の光受信システムによれば、アンテナは、光電変換部とＲＦ出力端子との間から分岐されたＲＦ信号及び光電変換部とＦＭ出力端子との間から分岐されたＦＭ信号の一方又は両方を無線送信するので、ワンセグの放送波を受信することが困難な地域や建物内等であっても、アンテナから無線送信されたＲＦ信号を受信することにより、携帯電話や移動体端末でワンセグを利用可能となる。また、ＦＭ受信機を用いてＦＭラジオ放送を利用することも可能となる。
【００１４】
また、請求項４に記載の光受信システムによれば、光受信機は、当該光受信機に電力供給手段から電力が供給されている場合には、増幅手段によって増幅されたＲＦ信号をＲＦ出力端子から有線で出力すると共に、光電変換部によって変換されたＲＦ信号から取得したＦＭ信号をＦＭ出力端子から有線で出力し、光受信機に電力供給手段から電力が供給されていない場合には、光電変換部によって変換されたＲＦ信号から取得したＦＭ信号のみをＦＭ出力端子から有線で出力するので、無給電時においても、ＦＭ受信機を備える携帯電話や移動体端末でＦＭラジオ放送を利用することが可能となる。
【００１５】
また、請求項５に記載の光受信システムによれば、切り替え手段は、電力供給手段から切り替え器に電力が供給されている場合には、ＲＦ入力端子を出力端子に接続し、電力供給手段から切り替え器に電力が供給されていない場合には、ＦＭ入力端子を出力端子に接続するので、電力供給手段からの給電の有無に応じて切り替えスイッチを自動的に動作させることができ、機械式スイッチを設けて手動で操作する手間を省くことができると共に、手動操作時の誤動作を防止することができる。
【図面の簡単な説明】
【００１６】
【図１】実施の形態１に係る光受信システムの構成図である。
【図２】実施の形態１に係る切り替え器の回路図である。
【図３】実施の形態２に係る光受信システムの構成図である。
【発明を実施するための形態】
【００１７】
以下に添付図面を参照して、この発明に係る光受信システムの各実施の形態を詳細に説明する。ただし、これらの各実施の形態によって本発明が限定されるものではない。
【００１８】
〔実施の形態１〕
最初に、実施の形態１について説明する。この実施の形態１は、切り替え器を備える形態である。
【００１９】
（構成）
図１は、実施の形態１に係る光受信システムの構成図である。この図１に示すように、光受信システム１は、光受信機１０、切り替え器２０、分岐器３０、アンテナ４０、及び、パワーインサータ５０（図１では「ＰＩ」と示す）を備えている。また、本実施の形態１では、テレビ受像機６０及び告知放送受信機７０が、切り替え器２０及び分岐器３０を介して光受信機１０に有線接続されている。なお、告知放送受信機７０及びテレビ受像機６０については、従来と同様に構成することができるので、その詳細な説明は省略する。また、光受信機１０、分岐器３０、及びパワーインサータ５０についても、基本的には従来と同様に構成することができるので、以下では、特に本実施の形態に関連する構成のみを説明し、その他の詳細な説明は省略する。
【００２０】
（構成−光受信機）
光受信機１０は、機器の駆動用電源の供給が無くても信号出力が可能な無給電式の光受信機であって、フォトダイオード１１（以下、必要に応じて「ＰＤ」と表記する）、アンプ１２、ＲＦ出力端子１３、及びＦＭ出力端子１４を備えている。ＰＤ１１は、光伝送路を介して送信された光信号をＲＦ信号に変換する光電変換部であり、光受信機１０にパワーインサータ５０から電力が供給されている場合には当該電力を用いて逆バイアスモードで使用され、光受信機１０にパワーインサータ５０から電力が供給されていない場合には無バイアスモードで使用される。アンプ１２は、ＰＤ１１によって変換されたＲＦ信号を、光受信機１０にパワーインサータ５０から供給された電力を用いて増幅し、ＲＦ出力端子１３に出力する増幅手段である。ＲＦ出力端子１３は、ＰＤ１１によって変換されたＲＦ信号を有線で出力する。ＦＭ出力端子１４は、ＲＦ信号から取得されたＦＭ信号を有線で出力する。
【００２１】
光受信機１０は、当該光受信機１０にパワーインサータ５０から電力が供給されている場合には、パワーインサータ５０から供給された電力をＲＦ出力端子１３を介して受電し、当該受電した電力を用いて、逆バイアスモードのＰＤ１１によって光信号をＲＦ信号に変換すると共に、アンプ１２によって当該ＲＦ信号を増幅する。この場合、光受信機１０は、アンプ１２によって増幅されたＲＦ信号をＲＦ出力端子１３から有線で出力すると共に、ＰＤ１１によって変換されたＲＦ信号から取得したＦＭ信号をＦＭ出力端子１４から有線で出力する。
【００２２】
一方、光受信機１０は、当該光受信機１０にパワーインサータ５０から電力が供給されていない場合には、無バイアスモードのＰＤ１１によって変換されたＲＦ信号から取得したＦＭ信号のみをＦＭ出力端子１４から有線で出力する。
【００２３】
このような無給電式の光受信機１０の具体的な回路構成としては、例えば、特開２０１０−０６８１９５号公報や特開２０１０−０９３７７８号公報に開示されている構成を適用することができる。なお、光受信機１０にパワーインサータ５０から電力が供給されている場合とは、通常は非停電時を意味し、光受信機１０にパワーインサータ５０から電力が供給されていない場合とは、通常は停電時を意味するが、後者の場合としては、非停電時であっても、パワーインサータ５０が故障した時や、パワーインサータ５０の電源が誤って抜かれた時等を含み得る。以下では、対象機器に対して電力が供給されている状態を「給電時」と称し、対象機器に対して電力が供給されていない状態をその原因に関わらず「無給電時」と称する。
【００２４】
（構成−切り替え器）
図２は、切り替え器２０の回路図である。この図２に示すように、切り替え器２０は、ＲＦ入力端子２１、ＦＭ入力端子２２、出力端子２３、リレー２４、及びチョークコイル２５を備えている。ＲＦ入力端子２１は、ＲＦ出力端子１３から有線で出力されたＲＦ信号の入力を受ける入力端子であり、例えば光受信機１０のＲＦ出力端子１３と同軸ケーブル８０を介して接続されている。ＦＭ入力端子２２は、ＦＭ出力端子１４から有線で出力されたＦＭ信号の入力を受ける入力端子であり、光受信機１０のＦＭ出力端子１４と同軸ケーブル８１を介して接続されている。出力端子２３は、ＲＦ入力端子２１に入力されたＲＦ信号又はＦＭ入力端子２２に入力されたＦＭ信号を有線で出力する出力端子であり、分岐器３０と同軸ケーブル８２を介して接続されている。リレー２４は、ＲＦ入力端子２１又はＦＭ入力端子２２のいずれか一方を、選択的に切り替えて、出力端子２３に接続する切り替え手段である。リレー２４のコイル２４ａは、出力端子２３に接続されており、切り替え器２０の下流側に配置されたパワーインサータ５０から出力端子２３を介して直流電流が供給される。このリレー２４は、給電時には、ＲＦ入力端子２１を出力端子２３に接続し、無給電時には、ＦＭ入力端子２２を出力端子２３に接続する。従って、パワーインサータ５０からの給電の有無に応じて切り替えスイッチを自動的に動作させることが可能になる。また、チョークコイル２５は、リレー２４のコイルラインに対する交流成分をカットするためのものであり、出力端子２３とリレー２４のコイル２４ａの相互間に接続されている。ただし、リレー２４の駆動電流が小さい場合には、チョークコイル２５に代えて、単なるコイルを使用してもよい。また、リレー２４のコイル２４ａで交流成分をカットできる場合には、チョークコイル２５を省略してもよい。また、リレー２４及びチョークコイル２５を省略し、切り替え手段として手動の機械式スイッチを設けてもよい。この場合、機械式スイッチの切り替えは、ユーザやメンテナンス者によって任意のタイミングにおいて手動で行われる。
【００２５】
（構成−分岐器）
図１に戻り、分岐器３０は、切り替え器２０から有線で出力されたＲＦ信号又はＦＭ信号を、アンテナ４０、告知放送受信機７０、及びテレビ受像機６０に分岐するためのものである。この分岐器３０としては、公知の分岐器を用いることができる。なお、図１の例では、分岐器３０の幹線系統にはパワーインサータ５０及び同軸ケーブル８４、８５を介して告知放送受信機７０が接続され、分岐器３０の分岐系統には、同軸ケーブル８３を介してアンテナ４０が接続されていると共に、同軸ケーブル８６を介してテレビ受像機６０が接続されている。無給電時の光受信機１０によるＦＭ信号の出力レベルは非常に小さいことから、分岐系統に比べて信号ロスが少ない幹線系統に告知放送受信機７０を接続し、分岐器３０によるＦＭ信号の信号ロスを最小限に抑えることで、告知放送受信機７０に入力されるＦＭ信号のＳ／Ｎ比の低下を抑制することとしている。なお、幹線系統は、直流電圧の通過が可能な、いわゆる電通となっている。
【００２６】
（構成−アンテナ）
アンテナ４０は、切り替え器２０の出力端子２３から出力され、分岐器３０で当該アンテナ４０に分岐されたＲＦ信号又はＦＭ信号を無線送信するためのものである。このアンテナ４０は、同軸ケーブル８３を介して分岐器３０に接続されている。このアンテナ４０としては、公知の無指向性アンテナや、指向性アンテナを用いることができる。アンテナ４０は、パワーインサータ５０や外部電源の供給を受けて駆動するが、停電時でも信号出力できるように電池等のバックアップ電源を備えている。
【００２７】
（構成−パワーインサータ）
パワーインサータ５０は、光受信機１０及び切り替え器２０に電力を供給する電力供給手段である。このパワーインサータ５０は、分岐器３０と告知放送受信機７０との相互間に同軸ケーブル８４、８５を介して接続されている。本実施の形態１では、分岐器３０の幹線系統に告知放送受信機７０を接続し、分岐器３０の幹線系統が電通となっている。従って、告知放送受信機７０の前段にパワーインサータ５０を配置することで、分岐器３０の幹線系統を介して電力を光受信機１０に供給することが可能になる。なお、パワーインサータ５０の具体的な構成については、従来と同様に構成することができるので、その詳細な説明は省略する。
【００２８】
（動作）
次に、このように構成された光受信システム１の動作について説明する。まず、給電時には、切り替え器２０のリレー２４は、ＲＦ入力端子２１を出力端子２３に接続する。この状態においては、パワーインサータ５０から供給された電力が、分岐器３０の幹線系統を介して切り替え器２０の出力端子２３に入力され、ＲＦ入力端子２１を介して光受信機１０のＲＦ出力端子１３に入力される。これにより、光受信機１０に電力が供給される。そして、光受信機１０のＰＤ１１によって光信号から変換されたＲＦ信号はアンプ１２によって増幅され、ＲＦ出力端子１３から有線で出力される。ＲＦ出力端子１３から有線で出力されたＲＦ信号は、切り替え器２０のＲＦ入力端子２１に入力され、出力端子２３から有線で出力され、分岐器３０の幹線系統を介して告知放送受信機７０に入力されると共に、分岐器３０の分岐系統を介してアンテナ４０及びテレビ受像機６０に入力される。この結果、告知放送受信機７０による告知放送と、テレビ受像機６０によるテレビ受像が可能になる。また、アンテナ４０は、入力されたＲＦ信号（に含まれるワンセグ放送用のＲＦ信号）を無線送信する。これにより、ワンセグの放送波を受信することが困難な地域や建物内等であっても、携帯電話や移動体端末でワンセグを利用可能となる。
【００２９】
一方、無給電時には、切り替え器２０のリレー２４は、ＦＭ入力端子２２を出力端子２３に接続する。この状態においては、光受信機１０は、ＰＤ１１によって光信号から変換されたＲＦ信号から取得したＦＭ信号のみを、ＦＭ出力端子１４から有線で出力する。ＦＭ出力端子１４から有線で出力されたＦＭ信号は、切り替え器２０のＦＭ入力端子２２に入力され、出力端子２３から有線で出力され、分岐器３０の幹線系統を介して告知放送受信機７０に入力されると共に、分岐器３０の分岐系統を介してアンテナ４０及びテレビ受像機６０に入力される。この結果、無給電時であっても、告知放送受信機７０による告知放送が可能になる。また、アンテナ４０は、入力されたＦＭ信号を無線送信する。これにより、無給電時において、ＦＭ受信機を備える携帯電話や移動体端末でＦＭラジオ放送を利用することが可能となる。
【００３０】
（効果）
このように実施の形態１によれば、光受信システム１は、光伝送路を介して送信された光信号をＲＦ信号に変換するＰＤ１１と、ＰＤ１１によって変換されたＲＦ信号を有線で出力するＲＦ出力端子１３と、ＲＦ信号から取得したＦＭ信号を有線で出力するＦＭ出力端子１４とを有する光受信機１０と、ＰＤ１１によって変換されたＲＦ信号及び当該ＲＦ信号から取得されたＦＭ信号の一方又は両方を無線送信するアンテナ４０とを備えるので、ワンセグの放送波を受信することが困難な地域や建物内等であっても、アンテナ４０から無線送信されたＲＦ信号を受信することにより、携帯電話や移動体端末でワンセグを利用可能となる。
【００３１】
また、光受信システム１は、ＲＦ出力端子１３から有線で出力されたＲＦ信号の入力を受けるＲＦ入力端子２１と、ＦＭ出力端子１４から有線で出力されたＦＭ信号の入力を受けるＦＭ入力端子２２と、ＲＦ入力端子２１に入力されたＲＦ信号又はＦＭ入力端子２２に入力されたＦＭ信号を有線で出力する出力端子２３と、ＲＦ入力端子２１又はＦＭ入力端子２２のいずれか一方を、選択的に切り替えて、出力端子２３に接続するリレー２４とを有する切り替え器２０を備え、アンテナ４０は、出力端子２３から出力されたＲＦ信号又はＦＭ信号を無線送信するので、光受信機１０の設置位置に関わらず、アンテナ４０を任意の位置に配置することができる。
【００３２】
また、光受信機１０は、当該光受信機１０にパワーインサータ５０から電力が供給されている場合には、アンプ１２によって増幅されたＲＦ信号をＲＦ出力端子１３から有線で出力すると共に、ＰＤ１１によって変換されたＲＦ信号から取得したＦＭ信号をＦＭ出力端子１４から有線で出力し、光受信機１０にパワーインサータ５０から電力が供給されていない場合には、ＰＤ１１によって変換されたＲＦ信号から取得したＦＭ信号のみをＦＭ出力端子１４から有線で出力するので、無給電時においても、ＦＭ受信機を備える携帯電話や移動体端末でＦＭラジオ放送を利用することが可能となる。
【００３３】
また、リレー２４は、パワーインサータ５０から切り替え器２０に電力が供給されている場合には、ＲＦ入力端子２１を出力端子２３に接続し、パワーインサータ５０から切り替え器２０に電力が供給されていない場合には、ＦＭ入力端子２２を出力端子２３に接続するので、パワーインサータ５０からの給電の有無に応じて切り替えスイッチを自動的に動作させることができ、機械式スイッチを設けて手動で操作する手間を省くことができると共に、手動操作時の誤動作を防止することができる。
【００３４】
〔実施の形態２〕
次に、実施の形態２について説明する。この実施の形態２は、アンテナが、光電変換部とＲＦ出力端子との間から分岐されたＲＦ信号及び光電変換部とＦＭ出力端子との間から分岐されたＦＭ信号の一方又は両方を無線送信する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００３５】
（構成）
図３は、実施の形態２に係る光受信システム１の構成図である。この図３に示すように、実施の形態２に係る光受信システム１では、図１に示した実施の形態１に係る光受信システム１から切り替え器２０及び分岐器３０が省略されている。そして、光受信機１０のＦＭ出力端子１４には同軸ケーブル８７を介して告知放送受信機７０が有線接続され、ＲＦ出力端子１３には同軸ケーブル８８、８９を介してテレビ受像機６０が有線接続されている。また、パワーインサータ５０は、光受信機１０とテレビ受像機６０との相互間に同軸ケーブル８８、８９を介して接続されている。このパワーインサータ５０と光受信機１０との間は電通となっており、同軸ケーブル８８を介してパワーインサータ５０から光受信機１０に電力を供給することが可能となっている。なお、光受信機１０とテレビ受像機６０との相互間ではなく、光受信機１０と告知放送受信機７０との相互間にパワーインサータ５０を設けることとしてもよい。
【００３６】
（構成−アンテナ）
アンテナ４０は、ＰＤ１１とＲＦ出力端子１３との間から分岐されたＲＦ信号及びＰＤ１１とＦＭ出力端子１４との間から分岐されたＦＭ信号の一方又は両方を無線送信する。具体的には、図３に示すように、アンプ１２によって増幅されたＲＦ信号と、ＰＤ１１によって変換されたＲＦ信号から取得したＦＭ信号とが混合され、アンテナ４０に入力される。アンテナ４０は、パワーインサータ５０や外部電源の供給を受けて駆動するが、停電時でも信号出力できるように電池等のバックアップ電源を備えている。給電時はＲＦ信号とＦＭ信号の両方を無線送信し、停電時はＦＭ信号のみを送信する。この無線送信する信号の切替えは、パワーインサータ５０などの供給源からの電源供給状態を監視して切り替えることができる。
【００３７】
（構成−動作）
次に、このように構成された光受信システム１の動作について説明する。まず、給電時には、パワーインサータ５０から供給された電力が、同軸ケーブル８８を介して光受信機１０のＲＦ出力端子１３に入力される。これにより、光受信機１０に電力が供給される。そして、光受信機１０のＰＤ１１によって光信号から変換されたＲＦ信号はアンプ１２によって増幅され、ＲＦ出力端子１３から有線で出力される。ＲＦ出力端子１３から有線で出力されたＲＦ信号は、テレビ受像機６０に入力される。この結果、テレビ受像機６０によるテレビ受像が可能になる。また、ＰＤ１１によって光信号から変換されたＲＦ信号から取得したＦＭ信号は、ＦＭ出力端子１４から有線で出力される。ＦＭ出力端子１４から有線で出力されたＦＭ信号は、告知放送受信機７０に入力される。この結果、告知放送受信機７０による告知放送が可能になる。さらに、アンプ１２によって増幅されたＲＦ信号と、ＰＤ１１によって光信号から変換されたＲＦ信号から取得したＦＭ信号とが混合され、アンテナ４０に入力される。アンテナ４０は、入力された信号を無線送信する。この場合、ＰＤ１１によって光信号から変換されたＲＦ信号から取得したＦＭ信号のレベルと比較して、アンプ１２によって増幅されたＲＦ信号のレベルは十分高いことから、アンテナ４０から無線送信された信号に含まれるワンセグ放送用のＲＦ信号を携帯電話や移動体端末で受信することができる。これにより、ワンセグの放送波を受信することが困難な地域や建物内等であっても、携帯電話や移動体端末でワンセグを利用可能となる。なお、アンテナ４０側の設定により、給電時であってもＲＦ信号の無線送信を停止するよう切り替えることができる。
【００３８】
一方、無給電時には、アンプ１２が動作しないことから、ＲＦ信号はＲＦ出力端子１３から出力されない。一方、ＰＤ１１によって光信号から変換されたＲＦ信号から取得したＦＭ信号は、ＦＭ出力端子１４から有線で出力される。ＦＭ出力端子１４から有線で出力されたＦＭ信号は、告知放送受信機７０に入力される。この結果、無給電時であっても、告知放送受信機７０による告知放送が可能になる。また、ＰＤ１１によって光信号から変換されたＲＦ信号から取得したＦＭ信号は、アンテナ４０にも入力される。アンテナ４０は、入力されたＦＭ信号を無線送信する。これにより、無給電時において、ＦＭ受信機を備える携帯電話や移動体端末でＦＭラジオ放送を利用することが可能となる。
【００３９】
（効果）
このように実施の形態２によれば、アンテナ４０は、ＰＤ１１とＲＦ出力端子１３との間から分岐されたＲＦ信号及びＰＤ１１とＦＭ出力端子１４との間から分岐されたＦＭ信号の一方又は両方を無線送信するので、ワンセグの放送波を受信することが困難な地域や建物内等であっても、アンテナ４０から無線送信されたＲＦ信号を受信することにより、携帯電話や移動体端末でワンセグを利用可能となる。また、ＦＭ受信機を用いてＦＭラジオ放送を利用することも可能となる。
【００４０】
〔各実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００４１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４２】
（具体的な回路構成について）
光受信機１０、及び切り替え器２０の具体的な回路構成としては、上記説明したこれらの機能を奏することができる限りにおいて、各実施の形態で例示した回路構成以外にも、公知の回路構成を適用することができる。
（付記）
付記１の光受信システムは、光伝送路を介して送信された光信号をＲＦ信号に変換する光電変換部と、前記光電変換部によって変換されたＲＦ信号を有線で出力するＲＦ出力端子と、前記ＲＦ信号から取得したＦＭ信号を有線で出力するＦＭ出力端子と、を有する光受信機と、前記光電変換部によって変換されたＲＦ信号及び当該ＲＦ信号から取得されたＦＭ信号の一方又は両方を無線送信するアンテナと、を備える。
付記２の光受信システムは、付記１に記載の光受信システムにおいて、前記ＲＦ出力端子から有線で出力されたＲＦ信号の入力を受けるＲＦ入力端子と、前記ＦＭ出力端子から有線で出力されたＦＭ信号の入力を受けるＦＭ入力端子と、前記ＲＦ入力端子に入力されたＲＦ信号又は前記ＦＭ入力端子に入力されたＦＭ信号を有線で出力する出力端子と、前記ＲＦ入力端子又は前記ＦＭ入力端子のいずれか一方を、選択的に切り替えて、前記出力端子に接続する切り替え手段と、を有する切り替え器を備え、前記アンテナは、前記出力端子から出力されたＲＦ信号又はＦＭ信号を無線送信する。
付記３の光受信システムは、付記１に記載の光受信システムにおいて、前記アンテナは、前記光電変換部と前記ＲＦ出力端子との間から分岐されたＲＦ信号及び前記光電変換部と前記ＦＭ出力端子との間から分岐されたＦＭ信号の一方又は両方を無線送信する。
付記４の光受信システムは、付記１から３のいずれか一項に記載の光受信システムにおいて、前記光受信機に電力を供給する電力供給手段を備え、前記光電変換部は、前記光受信機に前記電力供給手段から電力が供給されている場合には当該電力を用いて逆バイアスモードで使用され、前記光受信機に前記電力供給手段から電力が供給されていない場合には無バイアスモードで使用される、フォトダイオードを用いて構成され、前記光受信機は、前記光電変換部によって変換されたＲＦ信号を、当該光受信機に前記電力供給手段から供給された電力を用いて増幅し、前記ＲＦ出力端子に出力する増幅手段を備え、当該光受信機に前記電力供給手段から電力が供給されている場合には、前記増幅手段によって増幅されたＲＦ信号を前記ＲＦ出力端子から有線で出力すると共に、前記光電変換部によって変換されたＲＦ信号から取得したＦＭ信号を前記ＦＭ出力端子から有線で出力し、当該光受信機に前記電力供給手段から電力が供給されていない場合には、前記光電変換部によって変換されたＲＦ信号から取得したＦＭ信号のみを前記ＦＭ出力端子から有線で出力する。
付記５の光受信システムは、付記２及び４に記載の光受信システムにおいて、前記電力供給手段は、前記切り替え器に電力を供給し、前記切り替え手段は、前記電力供給手段から前記切り替え器に電力が供給されている場合には、前記ＲＦ入力端子を前記出力端子に接続し、前記電力供給手段から前記切り替え器に電力が供給されていない場合には、前記ＦＭ入力端子を前記出力端子に接続する。
（付記の効果）
付記１に記載の光受信システムによれば、光受信システムは、光伝送路を介して送信された光信号をＲＦ信号に変換する光電変換部と、光電変換部によって変換されたＲＦ信号を有線で出力するＲＦ出力端子と、ＲＦ信号から取得したＦＭ信号を有線で出力するＦＭ出力端子とを有する光受信機と、光電変換部によって変換されたＲＦ信号及び当該ＲＦ信号から取得されたＦＭ信号の一方又は両方を無線送信するアンテナとを備えるので、ワンセグの放送波を受信することが困難な地域や建物内等であっても、アンテナから無線送信されたＲＦ信号を受信することにより、携帯電話や移動体端末でワンセグを利用可能となる。
付記２に記載の光受信システムによれば、光受信システムは、ＲＦ出力端子から有線で出力されたＲＦ信号の入力を受けるＲＦ入力端子と、ＦＭ出力端子から有線で出力されたＦＭ信号の入力を受けるＦＭ入力端子と、ＲＦ入力端子に入力されたＲＦ信号又はＦＭ入力端子に入力されたＦＭ信号を有線で出力する出力端子と、ＲＦ入力端子又はＦＭ入力端子のいずれか一方を、選択的に切り替えて、出力端子に接続する切り替え手段とを有する切り替え器を備え、アンテナは、出力端子から出力されたＲＦ信号又はＦＭ信号を無線送信するので、光受信機の設置位置に関わらず、アンテナを任意の位置に配置することができる。
付記３に記載の光受信システムによれば、アンテナは、光電変換部とＲＦ出力端子との間から分岐されたＲＦ信号及び光電変換部とＦＭ出力端子との間から分岐されたＦＭ信号の一方又は両方を無線送信するので、ワンセグの放送波を受信することが困難な地域や建物内等であっても、アンテナから無線送信されたＲＦ信号を受信することにより、携帯電話や移動体端末でワンセグを利用可能となる。また、ＦＭ受信機を用いてＦＭラジオ放送を利用することも可能となる。
付記４に記載の光受信システムによれば、光受信機は、当該光受信機に電力供給手段から電力が供給されている場合には、増幅手段によって増幅されたＲＦ信号をＲＦ出力端子から有線で出力すると共に、光電変換部によって変換されたＲＦ信号から取得したＦＭ信号をＦＭ出力端子から有線で出力し、光受信機に電力供給手段から電力が供給されていない場合には、光電変換部によって変換されたＲＦ信号から取得したＦＭ信号のみをＦＭ出力端子から有線で出力するので、無給電時においても、ＦＭ受信機を備える携帯電話や移動体端末でＦＭラジオ放送を利用することが可能となる。
付記５に記載の光受信システムによれば、切り替え手段は、電力供給手段から切り替え器に電力が供給されている場合には、ＲＦ入力端子を出力端子に接続し、電力供給手段から切り替え器に電力が供給されていない場合には、ＦＭ入力端子を出力端子に接続するので、電力供給手段からの給電の有無に応じて切り替えスイッチを自動的に動作させることができ、機械式スイッチを設けて手動で操作する手間を省くことができると共に、手動操作時の誤動作を防止することができる。
【符号の説明】
【００４３】
１  光受信システム
１０  光受信機
１１  フォトダイオード（ＰＤ）
１２  アンプ
１３  ＲＦ出力端子
１４  ＦＭ出力端子
２０  切り替え器
２１  ＲＦ入力端子
２２  ＦＭ入力端子
２３  出力端子
２４  リレー
２４ａ  コイル
２５  チョークコイル
３０  分岐器
４０  アンテナ
５０  パワーインサータ（ＰＩ）
６０  テレビ受像機
７０  告知放送受信機
８０〜８９  同軸ケーブル
【図１】
0005823189.tif 000002
【図２】
0005823189.tif 000003
【図３】
0005823189.tif 000004